(57)【要約】【課題】本発明は、長期にわたって泥溜め容器の浮き上がりを確実に防止することができ、また、該泥溜め容器の出し入れが容易であって、更に、該泥溜め容器を偏ることなく挿入することができる雨水ますを提供することを課題とする。【解決手段】ます本体３の底部を開口して開口底部２を設け、該開口底部２の下側に泥溜め部４を取り付け、該泥溜め部４内に泥溜め容器５を挿入した雨水ます１であって、該開口底部２の周縁下部には、弾性材料からなり内側に複数個の係止突片１６が差し出された浮上防止リング１５を配置し、該浮上防止リング１５の係止突片１６によって該泥溜め部４内に挿入されている泥溜め容器５の上縁を係止して、該泥溜め容器５が浮き上がるのを防止した雨水ます１を提供する。【選択図】    図２
2006022555.tif 000002
【特許請求の範囲】
【請求項１】
ます本体の底部を開口して開口底部を設け、該開口底部の下側に泥溜め部を取り付け、該泥溜め部内に泥溜め容器を挿入した雨水ますであって、
該開口底部の周縁下部には、弾性材料からなり内側に複数個の係止突片が差し出された浮上防止リングを配置し、該浮上防止リングの係止突片によって該泥溜め部内に挿入されている泥溜め容器の上縁を係止して、該泥溜め容器が浮き上がるのを防止したことを特徴とする雨水ます。
【請求項２】
該ます本体の開口底部の周縁にはフランジが形成されており、該フランジの下側からは短筒部が垂設されており、該泥溜め部の上部は該短筒部内に嵌着されており、該浮上防止リングは該ます本体底部のフランジと該泥溜め部の上縁との間に挟持されている請求項１に記載の雨水ます。
【請求項３】
該泥溜め容器の上縁部にはフランジ部が設けられており、該浮上防止リングの係止突片は該泥溜め容器のフランジ部に当接する請求項１または請求項２に記載の雨水ます。
【請求項４】
該浮上防止リングは少なくとも係止突片の部分が鮮色に着色されており、該雨水ますを上側から目視したときに該浮上防止リングの係止突片が該ます本体の開口底部の周縁から臨出して目視される請求項１〜請求項３のいずれかに記載の雨水ます。
【請求項５】
該浮上防止リングの弾性材料は熱可塑性エラストマーである請求項１〜請求項４のいずれかに記載の雨水ます。
【請求項６】
該浮上防止リングは断面Ｌ字状である請求項１〜請求項５のいずれかに記載の雨水ます。
【発明の詳細な説明】
【技術分野】
【０００１】
本発明は、泥溜め容器の浮き上がりを防止した雨水ますに関する。
【背景技術】
【０００２】
従来、雨水桝本体に溜まった水によって泥溜め容器が浮き上がるのを防止した雨水桝として、雨水桝本体の下部に泥溜め部を形成し、該泥溜め部に泥溜め容器を挿脱自在に設け、泥溜め容器の最下部に設けた脚部が泥溜め部の底面に当接したときに、該雨水桝本体の内周面に圧接する複数の突起部を該泥溜め容器の外周面に突設したものが提供されている（特許文献１参照）。
【０００３】
【特許文献１】特開平９−４１４７４号公報（第５−７頁、第１図）
【発明の開示】
【発明が解決しようとする課題】
【０００４】
しかしながら上記従来の構成では、泥溜め容器の外周面の突起部が該雨水桝本体の内周面に圧接することによって、該泥溜め容器が該雨水桝本体内に保持されているため、長期にわたって保持力を維持することができず、長期にわたって該泥溜め容器の浮き上がりを確実に防止することが困難であるという問題があった。
また、複数の突起部が泥溜め容器の外周面に一体的に突設されているので、泥溜め容器を雨水桝本体の内部に挿着したときに、該雨水桝本体の内部を目視することができず、該泥溜め容器が完全に挿入されたかどうかを目視によって確認することができないという問題があった。
【課題を解決するための手段】
【０００５】
本発明は上記従来の課題を解決するための手段として、ます本体３の底部を開口して開口底部２を設け、該開口底部２の下側に泥溜め部４を取り付け、該泥溜め部４内に泥溜め容器５を挿入した雨水ます１であって、該開口底部２の周縁下部には、弾性材料からなり内側に複数個の係止突片１６が差し出された浮上防止リング１５を配置し、該浮上防止リング１５の係止突片１６によって該泥溜め部４内に挿入されている泥溜め容器５の上縁を係止して、該泥溜め容器５が浮き上がるのを防止した雨水ます１を提供するものである。
該ます本体３の開口底部２の周縁にはフランジ８が形成されており、該フランジ８の下側からは短筒部９が垂設されており、該泥溜め部４の上部は該短筒部９内に嵌着されており、該浮上防止リング１５は該ます本体３底部のフランジ８と該泥溜め部４の上縁との間に挟持されていることが望ましい。
また、該泥溜め容器５の上縁部にはフランジ部１２が設けられており、該浮上防止リング１５の係止突片１６は該泥溜め容器５のフランジ部１２に当接することが望ましい。
更に、該浮上防止リング１５は少なくとも係止突片１６の部分が鮮色に着色されており、該雨水ます１を上側から目視したときに該浮上防止リング１５の係止突片１６が該ます本体３の開口底部２の周縁から臨出して目視されることが望ましい。
また更に、該浮上防止リング１５の弾性材料は熱可塑性エラストマーであることが望ましい。
また、該浮上防止リング１５は断面Ｌ字状であることが望ましい。
【発明の効果】
【０００６】
本発明の雨水ます１では、泥溜め部４内に挿入されている泥溜め容器５の上縁が浮上防止リング１５の係止突片１６によって係止され、長期にわたって該泥溜め容器５の浮き上がりを確実に防止することができる。
また、該浮上防止リング１５の係止突片１６は弾性変形容易であり、該浮上防止リング１５を装着したまま該泥溜め容器５の出し入れができる。
更に、浮上防止リング１５の複数の係止突片１６を泥溜め容器５の外周面に等間隔に位置させることによって、該泥溜め容器５を挿着したときのがたつきを解消するとともに、該泥溜め容器５の挿入位置のセンター出しを行うことができ、ます本体３の泥溜め部４に該泥溜め容器５を偏ることなく挿入することができる。
【発明を実施するための最良の形態】
【０００７】
本発明を図１〜図３に示す一実施例によって説明する。
図１に示すように、雨水ます１は、底部を開口して開口底部２を設けたます本体３と、該開口底部２の下側に取り付けられる泥溜め部４と、該泥溜め部４内に挿入される泥溜め容器５とを有している。
該ます本体３の上部には点検筒（図示せず）を接続するための点検筒接続部６が設けられており、該ます本体３の左右両側部からは排水管（図示せず）を接続するための排水管接続部７がそれぞれ差し出されている。
【０００８】
図２に示すように、該ます本体３の開口底部２の周縁にはフランジ８が形成されており、該フランジ８の下側からは短筒部９が垂設されており、該短筒部９の下端部には内側に向けて突出する係止爪１０が周設されている。
また、該泥溜め部４の上部には突環部１１が突設されており、該泥溜め部４の上部を該短筒部９内に嵌着したときに、該短筒部９の係止爪１０が該泥溜め部４の突環部１１に係合するようにされている。
一方、該泥溜め容器５の上縁部にはフランジ部１２が周設されており、該泥溜め容器５の上部左右両側からはコの字状の把手１３が差し出されており、更に、該泥溜め容器５の下部には複数個の水抜き孔１４が設けられている。
【０００９】
該ます本体３の開口底部２の周縁下部には弾性材料からなる断面Ｌ字状の浮上防止リング１５が配置されており、該浮上防止リング１５は該ます本体３底部のフランジ８と該泥溜め部４の上縁との間に挟持されている。
該浮上防止リング１５の内側からは四個の係止突片１６が差し出されており、該係止突片１６の部分は例えば赤色、黄色、橙色、ピンク色等の鮮色に着色されている。
そして、図３に示すように、該浮上防止リング１５の係止突片１６は、該雨水ます１を上側から目視したときに、該ます本体３の開口底部２の周縁から臨出して目視されるようにされている。
【００１０】
該浮上防止リング１５の弾性材料としては、硬質プラスチック、ゴム、熱可塑性エラストマーが使用される。
該熱可塑性エラストマーとしては、例えば部分水添スチレン−ブタジエンブロック共重合体、スチレン−エチレン共重合体、ポリスチレン−ポリブタジエン−ポリスチレン（ＳＢＳ）、ポリスチレン−ポリイソプレン−ポリスチレン（ＳＩＳ）、ポリ（α−メチルスチレン）−ポリブタジエン−ポリ（αメチルスチレン）（α−ＭｅＳＢα−ＭｅＳ）、ポリ（αメチルスチレン）−ポリイソプレン−ポリ（α−メチルスチレン）、エチレン−プロピレン共重合体（ＥＰ），ブタジエン−スチレン共重合体（ＥＰ）、エチレン−プロピレン−エチリデン共重合体、エチレン−プロピレン−ジエン共重合体、スチレン−ブタジエン−スチレン（ＳＢＳ）共重合体、スチレン−イソプレン−スチレン（ＳＩＳ）共重合体、スチレン−水素添加ポリオレフィン−スチレン（ＳＥＢＳ）共重合体等のスチレン系熱可塑性エラストマーやブタジエン−スチレンブロック共重合体等が使用される。
この場合、該熱可塑性エラストマーは、着色のしやすさの観点から、ＪＩＳＫ６２５３Ａの硬度が６０〜９０のものが好ましく、更に、押込み抵抗および保持力の観点（適度な弾性変形の観点）から、ＪＩＳＫ６２５３Ａの硬度が７０〜８０のものが特に好ましい。
【００１１】
上記の雨水ます１を組み立てる場合には、まず、泥溜め部４の上に浮上防止リング１５を載置して、該泥溜め部４の上部をます本体３の短筒部９内に挿入し、該浮上防止リング１５を該ます本体３のフランジ８と該泥溜め部４の上縁との間に挟持した状態で、該短筒部９の係止爪１０を該泥溜め部４の突環部１１に係合させる。
【００１２】
そして、泥溜め容器５を、ます本体３の点検筒接続部６からます本体３の内部に挿入し、該泥溜め部４内に押込み挿着する。このとき、該浮上防止リング１５の係止突片１６は弾性変形して、該泥溜め容器５のフランジ部１２は該係止突片１６を乗り越えることができる。
一方、該泥溜め容器５を取り出す場合には、泥溜め容器５の把手１３をつかんで、ます本体３の泥溜め部４から点検筒接続部６を介して泥溜め容器５を引き上げる。このときも、該浮上防止リング１５の係止突片１６は弾性変形して、該泥溜め容器５のフランジ部１２は該係止突片１６を乗り越えることができる。
【００１３】
上記の雨水ます１では、ます本体３の内部に溜まった雨水等によって、該泥溜め容器５は浮き上がろうとした場合に、該泥溜め容器５のフランジ部１２の上面が該浮上防止リング１５の係止突片１６の下面に当接し、該泥溜め容器５の上縁が該係止突片１６に係止されて、該泥溜め容器５の浮き上がりが防止される。
【００１４】
上記のように、泥溜め部４内に挿入されている泥溜め容器５の上縁が浮上防止リング１５の係止突片１６によって係止され、長期にわたって該泥溜め容器５の浮き上がりを確実に防止することができる。
また、該浮上防止リング１５の係止突片１６は弾性変形容易であり、該浮上防止リング１５を装着したまま泥溜め容器５の出し入れができる。
更に、浮上防止リング１５の複数の係止突片１６を泥溜め容器５の外周面に等間隔に位置させることによって、該泥溜め容器５を挿着したときのがたつきを解消するとともに、該泥溜め容器５の挿入位置のセンター出しを行うことができ、ます本体３の泥溜め部４に該泥溜め容器５を偏ることなく挿入することができる。
【００１５】
その上、該ます本体３の開口底部２の周縁にフランジ８が形成され、該フランジ８の下側から短筒部９が垂設され、該泥溜め部４の上部が該短筒部９内に嵌着されており、該浮上防止リング１５が該ます本体３底部のフランジ８と該泥溜め部４の上縁との間に挟持されているので、該浮上防止リング１５の着脱を容易に行うことができる。
この場合、該浮上防止リング１５によって、ます本体３と泥溜め部４の接続部分をシールすることができる。したがって、Ｏリング等のシール部材が不要になり、製造コストの削減を図ることができる。
また、該浮上防止リング１５が断面Ｌ字状であるので、該浮上防止リング１５の内周面と下面の二つの面が該泥溜め部４の上縁の外周面と上面の二つの面に上下方向および左右方向に圧着するとともに、該浮上防止リング１５の外周面と上面の二つの面がます本体３の短筒部９の内周面とフランジ８の下面の二つの面に上下方向および左右方向に圧着し、ます本体３と泥溜め部４の接続部分をより確実にシールすることができる。
【００１６】
また、該泥溜め容器５の上縁部にフランジ部１２が設けられており、該浮上防止リング１５の係止突片１６が該泥溜め容器５のフランジ部１２に当接するので、泥溜め部４内に挿入されている泥溜め容器５のフランジ部１２が該浮上防止リング１５の係止突片１６によって係止され、長期にわたって該泥溜め容器５の浮き上がりを確実に防止することができるとともに、該泥溜め容器５を出し入れするときには、該浮上防止リング１５の係止突片１６は弾性変形してフランジ部１２を乗り越えるため、該泥溜め容器５の出し入れを容易に行うことができる。
【００１７】
更に、該浮上防止リング１５の係止突片１６の部分が、ます本体３や泥溜め容器５と異なる色彩でかつ鮮色に着色されており、該雨水ます１を上側から目視したときに該浮上防止リング１５の係止突片１６が該ます本体３の開口底部２の周縁から臨出して目視されるので、該ます本体３の上側から該係止突片１６の臨出した部分が見やすく、該泥溜め容器５が該泥溜め部４内に完全に挿入されたかどうかを目視で容易に確認することができる。
【００１８】
また更に、該浮上防止リング１５の弾性材料が上記のような熱可塑性エラストマーであれば、該熱可塑性エラストマーは弾性変形しやすく、着色するのが容易である。
すなわち、該熱可塑性エラストマーが、ＪＩＳＫ６２５３Ａの硬度が６０〜９０のものである場合には、特に鮮色に着色するのが容易であり、また、該熱可塑性エラストマーが、ＪＩＳＫ６２５３Ａの硬度が７０〜８０のものである場合には、該泥溜め容器５の出し入れの際には、該浮上防止リング１５の係止突片１６が適度に弾性変形して、該泥溜め容器５のフランジ部１２が該係止突片１６を容易に乗り越えることができるとともに、ます本体３の内部に溜まった雨水等によって、該泥溜め容器５は浮き上がろうとしたときには、該係止突片１６によって該泥溜め容器５の上縁を係止保持して、該泥溜め容器５の浮き上がりを確実に防止することができる。
【００１９】
以上、本発明の実施の形態を実施例により説明したが、本発明の範囲はこれらに限定されるものではなく、請求項に記載された範囲内において目的に応じて変更・変形することが可能である。
例えば、本実施例では、浮上防止リング１５が断面Ｌ字状である場合を例示したが、本実施例以外、浮上防止リング１５は平板リング状のものであってもよい。
また、浮上防止リング１５の係止突片１６は、泥溜め容器５のフランジ部１２の乗り越えが容易であれば、例えば突起状であってもよく、特に形状にこだわるものではない。
【産業上の利用可能性】
【００２０】
本発明は、長期にわたって泥溜め容器の浮き上がりを確実に防止することができ、また、該泥溜め容器の出し入れが容易であって、更に、該泥溜め容器を偏ることなく挿入することができる雨水ますとして、産業上利用することが出来る。
【図面の簡単な説明】
【００２１】
【図１】雨水ますの分解斜視図である。
【図２】雨水ますの説明側断面図である。
【図３】雨水ますの説明平面図である。
【符号の説明】
【００２２】
１  雨水ます
２  開口底部
３  ます本体
４  泥溜め部
５  泥溜め容器
８  フランジ
９  短筒部
１２  フランジ部
１５  浮上防止リング
１６  係止突片
【図１】
2006022555.tif 000003
【図２】
2006022555.tif 000004
【図３】
2006022555.tif 000005